(57)【要約】      （修正有）【課題】毛束とブラシ台座の接着性に優れ、かつ、ブラシ台座の厚みを薄い熔着歯ブラシを製造することができる熔着歯ブラシを提供する。【解決手段】熔着歯ブラシのブラシ台座部に、熱可塑性樹脂糸束を固定するための凹部を設け、その凹部に、少なくとも１つの貫通小孔部２ｃと、少なくとも１つの非貫通小孔部２ｂを設ける。熱可塑性樹脂糸束は、その一部を熔解させ、凹部に流入させて、冷却することで固定される。【選択図】図４
0003173206.tif 000002
【実用新案登録請求の範囲】
【請求項１】
持ち手としてのハンドル部と，前記ハンドル部の先端部に設けられたブラシ台座部と，前記ブラシ台座部に固定された熱可塑性樹脂糸束を有する熔着歯ブラシであって，
前記ブラシ台座は，熱可塑性樹脂糸束を固定するための凹部を有し，
前記ブラシ台座は，前記凹部に接続された少なくとも１つの貫通小孔部と，少なくとも１つの非貫通小孔部を有し，
前記熱可塑性樹脂糸束は，前記熱可塑性樹脂糸束の一部を熔解させ，前記一部を前記貫通小孔部，前記非貫通小孔部，及び前記凹部に流入させた後に，冷却固定化することで前記ブラシ台座の前記凹部に固定される熔着歯ブラシ。
【請求項２】
請求項１に記載の熔着歯ブラシであって，
前記ブラシ台座部の前記凹部は，前記ブラシ台座部の形状に沿った底面部と側壁から構成され，
前記側壁は前記底面部の周囲を囲むように形成されており，
前記貫通小孔部は，凹部の底面部に近い側から前記ブラシ台座部内部方に向かって，貫通孔，及びその貫通孔の周囲にその貫通孔の直径よりも大きな非貫通部位を順に有し，
前記非貫通小孔部は，前記ブラシ台座部の内部方向に向かって，底面部に対し３０°以上６０°以下の傾きを有する非貫通小孔を有することを特徴とする熔着歯ブラシ。
【請求項３】
前記熱可塑性樹脂糸束を構成する糸の直径が０．０３ｍｍ以上０．０９ｍｍ以下であり，歯面清掃と同時に舌面清掃も可能であることを特徴とする請求項１又は請求項２に記載の熔着歯ブラシ。
【請求項４】
前記熱可塑性樹脂糸束を構成する糸数が４，０００本以上１０，０００本以下であり，歯面清掃と同時に舌面清掃も可能であることを特徴とする請求項１から請求項３のいずれか１項に記載の熔着歯ブラシ。
【請求項５】
前記熱可塑性樹脂糸束を構成する糸束は，その固定箇所から先端までの糸束丈が２ｍｍ以上５ｍｍ以下であり，歯面清掃と同時に舌面清掃も可能であることを特徴とする請求項１から請求項４のいずれか１項に記載の熔着歯ブラシ。
【請求項６】
前記熱可塑性樹脂糸束は，少なくとも２種類以上の異なった材質の糸から構成され，
前記熱可塑性樹脂糸束は，０．０３ｍｍ以上０．０６ｍｍ未満の直径を有する第１の糸と，０．０６ｍｍ以上０．０９ｍｍ以下の直径を有する第２の糸から構成されることを特徴とする請求項１から請求項５のいずれか１項に記載の熔着歯ブラシ。
【請求項７】
前記熱可塑性樹脂糸束は，少なくとも２種類以上の異なった形状である糸束から構成されることを特徴とする請求項１から請求項６のいずれか１項に記載の熔着歯ブラシ。
【請求項８】
持ち手としてのハンドル部と，前記ハンドル部の先端部に設けられたブラシ台座部を有し，
前記ブラシ台座は，熱可塑性樹脂糸束を固定するための凹部を有し，
前記凹部は，少なくとも１つの貫通小孔部と，少なくとも１つの非貫通小孔部を有する熔着歯ブラシハンドル。
【請求項９】
請求項８に記載の熔着歯ブラシハンドルであって，
前記ブラシ台座部の前記凹部は，前記ブラシ台座部の形状に沿った底面部と側壁から構成され，
前記側壁は前記底面部の周囲を囲むように形成されており，
前記貫通小孔部は，凹部の底面部に近い側から前記ブラシ台座部内部方に向かって，貫通孔，及びその貫通孔の周囲にその貫通孔の直径よりも大きな非貫通部位を順に有し，
前記非貫通小孔部は，前記ブラシ台座部の内部方向に向かって，底面部に対し３０°以上６０°以下の傾きを有する非貫通小孔を有することを特徴とする熔着歯ブラシハンドル。
【考案の詳細な説明】
【技術分野】
【０００１】
本考案は，熔着歯ブラシとその製造方法に関する。
【背景技術】
【０００２】
従来，歯ブラシは，歯ブラシの毛束を毛束用挿入孔に挿入して，平線と称される金属の部材により固定され製造されていた。この方法で製造された歯ブラシは毛束間の距離を縮めることができなく，毛量や毛の材質の選択にも制限があった。また，金属アレルギーの人の使用が制限されたり，歯ブラシの廃棄時には分別などに手間がかかるという問題があった。
【０００３】
上記問題を解決するため，合成樹脂の毛束が溶融・固化する性質を利用して，毛束を歯ブラシのハンドル部材に連結する方法が用いられている。
引用文献１には，毛束を繋げた一体融合片を別途成形し，その融合片をブラシ台座に装着した歯ブラシが開示されている。
引用文献２には，歯ブラシのブラシ台座に毛束を一体に固定化した歯ブラシが開示されている。引用文献２では，ブラシ台座と毛束を固定するために，ブラシ台座の裏側から固定用の充填材を注入し接着を行う方法が開示されている。
【先行技術文献】
【特許文献】
【０００４】
【特許文献１】特開１９９７−２２０１２６公報
【特許文献２】特開２００３−１３５１５４公報
【考案の概要】
【考案が解決しようとする課題】
【０００５】
引用文献１，引用文献２の合成樹脂を熔着させる歯ブラシでは，その接着強度を十分に確保する必要がある。接着強度が十分でない場合，歯磨き時の繰り返しの往復運動でかかる力により接着部が剥離し，毛束がブラシ台座からはずれてしまうことがあった。
しかし，接着強度を十分に強くした場合，ブラシ台座の接着部分の厚みが増してしまうという問題があった。ブラシ台座部分の厚みが増すと，幼児，子供，女性などの比較的口の小さい人の使用に適さなかったり，臼歯までブラッシングできないという問題があった。
【課題を解決するための手段】
【０００６】
本考案者らは，上記の課題を解決するために，熔着歯ブラシのブラシ台座部に，熱可塑性樹脂糸束を固定するための凹部を設け，その凹部に，少なくとも１つの貫通小孔部と，少なくとも１つの非貫通小孔部を設けることにより，毛束とブラシ台座の接着性に優れ，かつ，ブラシ台座の厚みを薄くすることができるという知見を得た。
【０００７】
本考案は，持ち手としてのハンドル部と，ハンドル部の先端部に設けられたブラシ台座部と，前記ブラシ台座部に固定された熱可塑性樹脂糸束を有する熔着歯ブラシに関する。本考案に係るブラシ台座は，熱可塑性樹脂糸束を固定するための凹部を有し，ブラシ台座は，前記凹部に接続された少なくとも１つの貫通小孔部と，少なくとも１つの非貫通小孔部を有する。熱可塑性樹脂糸束は，熱可塑性樹脂糸束の一部を熔解させ，その一部を貫通小孔部，非貫通小孔部，及び凹部に流入させた後に，冷却し固定化することでブラシ台座の前記凹部に固定される。本考案では，毛束とブラシ台座の接着性に優れ，かつ，ブラシ台座の厚みが薄い歯ブラシを得ることができる。
【０００８】
本考案の好ましい実施形態では，ブラシ台座部の凹部は，ブラシ台座部の形状に沿った底面部と側壁から構成され，側壁は底面部の周囲を囲むように形成されている。貫通小孔部は，凹部の底面部に近い側から前記ブラシ台座部内部方に向かって，貫通孔，及びその貫通孔の周囲にその貫通孔の直径よりも大きな非貫通部位を順に有するように構成されている。さらに，非貫通小孔部は，ブラシ台座部の内部方向に向かって，底面部に対し３０°以上６０°以下の傾きを有する非貫通小孔を有する。本考案では，貫通小孔部を貫通孔とその周囲に非貫通部位の２段階からなる小孔部とし，非貫通小孔部は，ブラシ台座の底面部に対し傾きを有するように設けられている。これにより，毛束とブラシ台座の接着性をさらに高めることができ，かつ，ブラシ台座の厚みが薄い歯ブラシを得ることができる。
【０００９】
本考案の好ましい実施形態では，熱可塑性樹脂糸束を構成する糸の直径が０．０３ｍｍ以上０．０９ｍｍ以下であり，この熔着歯ブラシは歯面清掃と同時に舌面清掃も可能である。本考案では，糸径が０．０９ｍｍ以下の極細糸の使用が可能となり，これにより，歯面清掃に加えて，舌面清掃も可能な熔着歯ブラシを得ることができる。
【００１０】
本考案の好ましい実施形態では，熱可塑性樹脂糸束を構成する糸数が４，０００本以上１０，０００本以下であり，この熔着歯ブラシは歯面清掃と同時に舌面清掃も可能である。本考案では，糸数が４，０００本以上１０，０００本以下という多数の糸の使用が可能となり，これにより，歯面清掃に加えて，舌面清掃も可能な熔着歯ブラシを得ることができる。
【００１１】
本考案の好ましい実施形態では，熱可塑性樹脂糸束を構成する糸束は，その固定箇所から先端までの糸束丈が２ｍｍ以上５ｍｍ以下であり，この熔着歯ブラシは歯面清掃と同時に舌面清掃も可能である。本考案では，糸束丈を２ｍｍ以上５ｍｍ以下という比較的短い糸丈に抑えることが可能となり，これにより，歯面清掃に加えて，舌面清掃も可能な熔着歯ブラシを得ることができる。
【００１２】
本考案の好ましい実施形態では，熱可塑性樹脂糸束は，少なくとも２種類以上の異なった材質の糸から構成され，熱可塑性樹脂糸束は，０．０３ｍｍ以上０．０６ｍｍ未満の直径を有する第１の糸と，０．０６ｍｍ以上０．０９ｍｍ以下の直径を有する第２の糸から構成される。本考案では，糸束を異なった材質の糸から製造することにより，効果的に歯垢除去，及び舌面清掃をすることができる熔着歯ブラシを得ることができる。
【００１３】
本考案の好ましい実施形態では，熱可塑性樹脂糸束は，少なくとも２種類以上の異なった形状である糸束から構成される。本考案では，糸束同士を異なった形状とすることにより，効果的に歯垢除去，及び舌面清掃をすることができる熔着歯ブラシを得ることができる。
【００１４】
本考案は，持ち手としてのハンドル部と，ハンドル部の先端部に設けられたブラシ台座部を有する熔着歯ブラシハンドルに関する。本考案に係るブラシ台座は，熱可塑性樹脂糸束を固定するための凹部を有し，凹部は，少なくとも１つの貫通小孔部と，少なくとも１つの非貫通小孔部を有する。本考案では，毛束とブラシ台座の接着性に優れ，かつ，ブラシ台座の厚みが薄い歯ブラシハンドルを得ることができる。
【００１５】
本考案の好ましい実施形態では，ブラシ台座部の凹部は，ブラシ台座部の形状に沿った底面部と側壁から構成され，側壁は前記底面部の周囲を囲むように形成されており，貫通小孔部は，凹部の底面部に近い側から前記ブラシ台座部内部方向に向かって，貫通孔，及びその貫通孔の周囲にその貫通孔の直径よりも大きな非貫通部位を順に有し，非貫通小孔部は，ブラシ台座部の内部方向に向かって，底面部に対し３０°以上６０°以下の傾きを有する非貫通小孔を有する。本考案では，貫通小孔部を貫通孔とその周囲に非貫通部位の２段階から構成される小孔部とし，非貫通小孔部は，ブラシ台座の底面部に対し傾きを有するようにするようにしている。これにより，より毛束とブラシ台座の接着性を高め，かつ，ブラシ台座の厚みが薄い歯ブラシハンドルを得ることができる。
【考案の効果】
【００１６】
本考案によれば，熔着歯ブラシのブラシ台座部に熱可塑性樹脂糸束を固定するための凹部を設け，ブラシ台座に凹部に接続された少なくとも１つの貫通小孔部と，少なくとも１つの非貫通小孔部を設けることで，毛束とブラシ台座部の接着性に優れ，かつ，ブラシ台座部の厚みが薄い歯ブラシを得ることができる。
【００１７】
上述した歯ブラシの台座の厚さは，２ｍｍ以上３ｍｍ以下であり，従来の植込み歯ブラシの平均のブラシ台座の厚さの半分程度の厚さとすることができる。これにより，幼児，子供，女性のように口の比較的小さい人でも，最後臼歯まで楽にブラッシングできるようになり，効果的に歯垢除去をすることができる。
【００１８】
さらに，上述した歯ブラシでは，糸径が０．０３ｍｍ以上０．０９ｍｍ以下の極細糸束の使用が可能となり，糸束丈寸法を３ｍｍ以上７ｍｍ以下，好ましくは２ｍｍ以上５ｍｍ以下に抑えることも可能となり，歯面，歯間の歯垢除去に加え，同時に舌の清掃をすることができる。
【図面の簡単な説明】
【００１９】
【図１】図１は，糸束熔着金型の全容を示す平面図である。
【図２】図２は，糸束熔着金型をＡ−Ａ断面で切断した切断図である。
【図３】図３は，熔着歯ブラシハンドルの全容を示す平面図である。
【図４】図４は，熔着歯ブラシハンドルをＢ−Ｂ断面で切断した切断図である。
【図５】図５は，糸束を熔着金型台座小孔に通しヒーターで加熱熔解，熔着歯ブラシハンドルに熔着固定する工程を示す正面図である。
【図６】図６は，糸束の熔解状態を示すイメージの正面図である。
【図７】図７は，熔着歯ブラシハンドルに糸束を熔着後，カット工程を示す正面図である。
【図８】図８は，完成した熔着歯ブラシと植込み歯ブラシの対比を示す写真である。
【考案を実施するための形態】
【００２０】
以下，本考案を実施するための形態について説明する。本考案は，以下に説明する形態に限定されるものではなく，以下の形態から当業者が自明な範囲で適宜修正したものも含む。
【００２１】
本考案は，持ち手としてのハンドル部と，ハンドル部の先端部に設けられたブラシ台座部と，ブラシ台座部に固定された熱可塑性樹脂糸束を有する熔着歯ブラシに関する。本考案に係る熔着歯ブラシは，ブラシ台座部に熱可塑性樹脂糸束を熔着により接着させて得られる。熔着歯ブラシは，糸束熔着金型１を用いて製造される。図１は糸束熔着金型１の全容を示すものである。糸束熔着金型１は，糸束の熔解樹脂を成形固定する糸束熔着金型台座部１ａ，糸束を送り込む糸束熔着金型糸束小孔部１ｂ及び糸束熔着金型貫部１ｃを含む。図２は，図１に示した糸束熔着金型１をＡ−Ａ断面で切断した断面図を示している。
【００２２】
図３は，熔着歯ブラシハンドル２を示している。熔着歯ブラシハンドル２はハンドル部の先端部にブラシ台座が設けられている。ブラシ台座には，熱可塑性樹脂糸束を固定するための凹部が設けられており，凹部の周囲を囲むように，側壁２ａが設けられている。尚，図２のブラシ台座の点線は，凹部の外周形状を示している。
凹部は，ブラシ台座に設けられた凹み部分のことをいう。凹部は，底面部とその底面部とその底面部を囲むように形成されている側壁によって構成される。本考案では，底面部及び側壁は，ブラシ台座と凹部の境界面となる。凹部の外周の形状はブラシ台座の形状であることが好ましく，略四角形状や，略長円形状であることが好ましい。凹部の厚さは，１ｍｍ以上３ｍｍ以下，好ましくは１．５ｍｍ以上２．５ｍｍ以下であることが好ましい。
熔着歯ブラシハンドル２は，ブラシ台座の凹部に，少なくとも１つの貫通小孔部２ｃと少なくとも１つの非貫通小孔部２ｂを有する。図４は，図３に示した熔着歯ブラシハンドル２をＡ−Ａ断面で切断した断面図を示している。
尚，糸束熔着金型１の糸束熔着金型台座部１ａは，熔着歯ブラシハンドル２の熔着歯ブラシハンドル台座部の凹部の周囲を囲む側壁２ａを嵌め込む構造となっている。糸束熔着金型台座部１ａが熔着歯ブラシハンドル２の熔着歯ブラシハンドル台座部の凹部の周囲を囲む側壁２ａを嵌め込む構造となっていることにより，後述する糸束４の突出部を効率よく接着することができる。
【００２３】
次いで，熔着歯ブラシハンドル２に熔解した糸束を固定する方法を図５から図７を使用して詳しく説明する。
図５では，糸束熔着金型１の糸束熔着金型台座部１ａに複数有る糸束熔着金型糸束小孔１ｂに下面から糸束４を差し込んだものが示されている。糸束４は，糸束熔着金型１の糸束熔着金型台座部１ａの上面から４ｍｍ以上７ｍｍ以下の寸法を突出させることが好ましい。
図５では，糸束熔着金型１の上部に，ヒーター３及び，熔着歯ブラシハンドル２が示されている。糸束熔着金型台座部１ａの上面から４ｍｍ以上７ｍｍ以下突出させた糸束４は，ヒーター３により加熱される。その結果，糸束４の突出部は，熔解し軟化又は液化状態となる。
図６には，糸束４の突出部が熔解し軟化又は液化状態となった様子のイメージ図が示されている。図６の４ａは，糸束４の突出部の熔解イメージを示している。
【００２４】
糸束４の突出部が熔解し，軟化又は液化状態となったら，熔着歯ブラシハンドル２の熔着歯ブラシハンドル台座側壁２ａ部分を糸束熔着金型台座部１ａに嵌め込み圧縮する。これにより糸束４の熔着部分は，ブラシ台座の凹部の貫通小孔部２ｃと非貫通小孔部２ｂ，及びブラシ台座の凹部に流れ込み，その後冷却され，それと同時に固定される。
本考案の好ましい実施形態では，ブラシ台座部の凹部は，ブラシ台座部の形状に沿った底面部と側壁から構成され，側壁は底面部の周囲を囲むように形成されている。貫通小孔部２ｃは，凹部の底面部に近い側からブラシ台座部内部方向に向かって，貫通孔，及びその貫通孔の周囲にその貫通孔の直径よりも大きな非貫通部位を順に有する。非貫通小孔部２ｂは，ブラシ台座部の内部方向に向かって，底面部に対し３０°以上６０°以下の傾きを有する非貫通小孔を有する。
本考案では，糸束４の熔着部分は，ブラシ台座の凹部の２つの小孔に異なった角度で係合することにより，糸束４はブラシ台座にしっかりと固定される。さらに，貫通小孔部２ｃは，凹部の底面部に近い側からブラシ台座部内部方向に向かって，貫通孔，及びその貫通孔の周囲にその貫通孔の直径よりも大きな非貫通部位を順に有するため，糸束熔解樹脂が貫通孔の上部の非貫通部位に流入し，固化することにより，非貫通部位の熔着部分が引っ掛かりとなって糸束４はブラシ台座にしっかりと固定されることになる。
【００２５】
図７には熔着成形完了後，カット機５により糸束４をカットする工程が示されている。カット機５により糸束４をカットした後，さらに，糸束４の先端部分を仕上げカット及び，糸束端面を球形状や円錐形状に加工する工程を設けることもできる。糸束４をカットした後の残りの糸束は，次の熔着歯ブラシの糸束４となり，くり返し製造される。また，本考案では，熔着歯ブラシを製造する際に糸束熔着金型１を用いることで，糸束４の各糸束同士の距離を調節することができる。また，熔着歯ブラシを製造する際に糸束熔着金型１を用いることで，糸束４を加熱熔解する部位を調節することができ，不必要に糸束４を熔解しすぎることを防止できる。さらに，熔着歯ブラシを製造する際に糸束熔着金型１を用いることで，カット機５により糸束４をカットする工程では，糸束４を糸束熔着金型１に沿ってカットすればよく，糸束４の切断面を直線的に効率よくカットすることができる。
【００２６】
上述した工程により製造された熔着歯ブラシは，毛束４とブラシ台座の接着性に優れている。さらに，本考案に係る熔着歯ブラシでは，糸束４の熔着部分がブラシ台座の凹部の２つの小孔に異なった角度で係合することにより糸束４はブラシ台座にしっかりと固定される。また，貫通小孔部２ｃでは，糸束熔解樹脂が貫通孔の上部の非貫通部位に流入し，固化することにより，非貫通部位の熔着部分が引っ掛かりとなるため，糸束４はブラシ台座に固定され，外れることはない。さらに，上述したように糸束４はブラシ台座にしっかりと固定されるため，ブラシ台座の熔着部分の厚さが少なくても良い。このため，本考案に係る熔着歯ブラシのブラシ台座の厚みを薄くすることができる。本考案に係る熔着歯ブラシのブラシ台座の厚さは，２ｍｍ以上３ｍｍ以下であり，従来の植込み歯ブラシの平均のブラシ台座の厚さの半分程度の厚さとすることができる。これにより，幼児，子供，女性のように口の比較的小さい人でも，最後臼歯まで楽にブラッシングできるようになり，効果的に歯垢除去をすることができる。
【００２７】
図８には，本考案に係る熔着歯ブラシ（上図）と，従来の植込み歯ブラシ（下図）を示す写真が示されている。図８に添付の写真からも分かるように，本考案に係る熔着歯ブラシのブラシ台座の厚みは従来の歯ブラシと比較して薄くなっていることがわかる。
【００２８】
本考案に係る熔着歯ブラシの熱可塑性樹脂糸束は，熱可塑性樹脂からなる細い糸状の樹脂を数十本から十数万本合わせて束にしたものである。熱可塑性樹脂は，融点まで加熱することにより熔解し，軟化又は液化状態となる。また，熱可塑性樹脂は，熔解し，軟化又は液化状態とした後に，冷却することにより，固化する。本考案に係る熔着歯ブラシではこの熱可塑性樹脂の性質を利用して，熱可塑性樹脂糸束とブラシ台座を接着する。
【００２９】
本考案に係る熔着歯ブラシの熱可塑性樹脂糸束には，熱可塑性樹脂として，ポリブチレンテレフタレート樹脂，ポリプロピレンテレフタレート樹脂，ポリエチレンテレフタレート樹脂，ポリエチレンナフタレート樹脂，ＰＣＴＡ樹脂，ＰＣＴＧ樹脂などのポリエステル樹脂，ポリアセタール樹脂（ホモポリマー，コポリマー），ポリカーボネート樹脂，脂肪族ポリアミド樹脂，芳香族ポリアミド樹脂の中から選ばれた樹脂を主成分とする樹脂を採用することができる。糸束４の突出部をヒーター３により加熱熔解し軟化又は液化状態とする温度は，用いる熱可塑性樹脂の種類により異なるが，ポリブチレンテレフタレート樹脂，ポリプロピレンテレフタレート樹脂においては１９０〜２３０℃程度である。また，非接触熱板等による加熱熔解に比べ，エアーによる加熱熔解の場合，糸束表面に焦げによる変色も少なく好ましい熔解方法である。尚，糸束４の突出部の熔解に必要な時間は１０〜２０秒程度で良い。
【００３０】
本考案に係る熔着歯ブラシでは，熱可塑性樹脂糸束を構成する糸の直径が０．０２ｍｍ以上０．５ｍｍ以下，好ましくは０．０５ｍｍ以上０．４ｍｍ以下，さらに好ましくは，０．１ｍｍ以上０．３ｍｍ以下である。熱可塑性樹脂糸束を構成する糸の直径が小さいものを採用することができるため，本考案に係る熔着歯ブラシでは，歯面清掃と同時に舌面清掃も可能である。さらに，熱可塑性樹脂糸束を構成する糸の直径が小さいものを採用することができるため，歯間の清掃にも適しており，効果的に歯間の歯垢除去をすることができる。
【００３１】
本考案に係る熔着歯ブラシでは，熱可塑性樹脂糸束を構成する糸数が５０本以上１００，０００本以下，好ましくは，５００本以上５０，０００本以下から，さらに好ましくは，１，０００本以上２０，０００本以下である。熱可塑性樹脂糸束を構成する糸数が多いため，本考案に係るイ熔着歯ブラシでは，歯面清掃と同時に舌面清掃も可能である。さらに，熱可塑性樹脂糸束を構成する糸数が多いため，歯ブラシとして長期間に渡り使用することができ，経済的である。
【００３２】
本考案に係る熔着歯ブラシでは，熱可塑性樹脂糸束を構成する糸束は，その固定箇所から先端までの糸束丈が，１．５ｍｍ以上８ｍｍ以下，好ましくは２ｍｍ以上５ｍｍ以下である。熱可塑性樹脂糸束を構成する糸束丈を短いものを採用することにより，歯面清掃と同時に，効果的に舌面清掃をすることができる。
【００３３】
本考案に係る熔着歯ブラシの熱可塑性樹脂糸束は，少なくとも２種類以上の異なった材質の糸から構成され，熱可塑性樹脂糸束は，０．０３ｍｍ以上０．０６ｍｍ未満の直径を有する第１の糸と，０．０６ｍｍ以上０．０９ｍｍ以下の直径を有する第２の糸から構成されても良い。例えば，ブラシ台座の先端部の熱可塑性樹脂糸束は０．０３ｍｍ以上０．０６ｍｍ未満の比較的小さい直径のものとし，ブラシ台座の後方部分は０．０６ｍｍ以上０．０９ｍｍ以下の比較的大きな直径のものとすることができる。これにより，ブラシの先端部では，磨きにくい奥歯の歯間をブラッシングすることができる。また，熱可塑性樹脂糸束を少なくとも２種類以上の異なった材質の糸から構成し，異なる直径を有する糸から構成することにより，人の歯形の特徴に合わせた歯ブラシを得ることができる。これにより，磨きにくいとされている臼歯や歯の裏側の歯垢を効果的に除去することができる。
【００３４】
本考案に係る熔着歯ブラシの熱可塑性樹脂糸束は，少なくとも２種類以上の異なった形状である糸束から構成される。例えば，ブラシ台座の先端部の熱可塑性樹脂糸束は糸束数を少なくしたり，糸束丈を長くしても良い。また，ブラシ台座の中央部の熱可塑性樹脂糸束は糸束数を多くし，糸束丈を短くしても良い。熱可塑性樹脂糸束を少なくとも２種類以上の異なった形状である糸束から構成することにより，幼児，子供，女性のように口の比較的小さい人に適した歯ブラシを得ることもできる。これにより，磨きにくいとされている臼歯や歯の裏側の歯垢を効果的に除去することができる。また，熱可塑性樹脂糸束を少なくとも２種類以上の異なった形状である糸束から構成することにより，舌面清掃に適した歯ブラシを得ることできる。
【符号の説明】
【００３５】
１      糸束熔着金型
１ａ    糸束熔着金型台座部
１ｂ    糸束熔着金型糸束小孔部
１ｃ    糸束熔着金型貫通部
２      熔着歯ブラシハンドル
２ａ    側壁
２ｂ    非貫通小孔部
２ｃ    貫通小孔部
３      ヒーター
４      糸束
４ａ    糸束熔解イメージ
５      カット機
【図１】
0003173206.tif 000003
【図２】
0003173206.tif 000004
【図３】
0003173206.tif 000005
【図４】
0003173206.tif 000006
【図５】
0003173206.tif 000007
【図６】
0003173206.tif 000008
【図７】
0003173206.tif 000009
【図８】
0003173206.tif 000010